(57)【要約】【課題】空気調和装置に取付け、取外しのできる使い捨てで且つ焼却できる消臭、抗菌作用を有するフィルタを提供する。【解決手段】濾紙２と濾紙３の間に複数の消臭、抗菌剤収容室７ａ，７ｂ，７ｃ，７ｄ，７ｅ，７ｆ…を区分して形成し、各収容室に消臭、抗菌剤８を収容する。【選択図】　　図４
2004116850.tif 000002
【特許請求の範囲】
【請求項１】
空気調和装置、空気清浄器、換気扇、脱臭装置、集塵装置等の空気通路中に、取付け、取外し可能に配設される複数の濾紙を多重に配したフィルタに於いて、
上記多重に配設された濾紙２，３を焼却可能な材質により構成するとともに、濾紙２と濾紙３間に、互いに区分された態様で複数の消臭，抗菌剤収容室７ａ，７ｂ，７ｃ，７ｄ，７ｅ，７ｆ…が形成されるように多重に配設し、上記複数の消臭，抗菌剤収容室７ａ，７ｂ，７ｃ，７ｄ，７ｅ，７ｆ…各々内に、各消臭，抗菌剤収容室内をほぼ満たすようにして焼却可能な粒状の消臭、抗菌剤８の多数を収容し、上記多重に配した濾紙２と３の周囲を互いに固着して成る使い捨てフィルタ。
【請求項２】
上記多重に配された濾紙は、その内の一方が平坦な濾紙２であり、他方が山谷状に形成された濾紙３であって、これら濾紙２と３の間に略断面が台形状又は三角形状、あるいは半円形状の複数の消臭，抗菌剤収容室７ａ，７ｂ，７ｃ，７ｄ，７ｅ，７ｆ…が互いに区分されて形成されていることを特徴とする請求項１記載の使い捨てフィルタ。
【請求項３】
上記多重に配された濾紙は、平坦な濾紙２，１２の複数と、山谷状に形成された濾紙３，１３の複数より成り、それらを交互に配設し、上記平坦な濾紙と山谷状に形成された濾紙の間の多数の消臭，抗菌剤収容室７ａ，７ｂ，７ｃ，７ｄ，７ｅ，７ｆ…が上下多層にわたって形成されていることを特徴とする請求項１記載の使い捨てフィルタ。
【請求項４】
上記消臭，抗菌剤収容室７ａ，７ｂ，７ｃ，７ｄ，７ｅ，７ｆ…内に収容されている消臭、抗菌剤８は球状の多孔性セルロースを核として、それに消臭剤又は抗菌剤が結合されているものであることを特徴とする請求項１，２，３何れか１項に記載の使い捨てフィルタ。
【発明の詳細な説明】
【０００１】
【発明の属する技術分野】
本発明は使い捨てフィルタに係わり、更に詳しくは空気調和装置、空気清浄器、換気扇、脱臭装置、集塵装置等の空気通路に取り付け、取り外し可能であって使い捨て後焼却処理できるフィルタに関する。
【０００２】
【従来の技術】
周知の通りゴミやホコリを収集する為の空気調和装置等の空気通路に取り付けられるフィルタは種々実用されている。そして、ゴミやホコリを収集する為のみならず消臭や抗菌作用を与えることのできるフィルタも多々提案されている。例えば特開平１１−２７６８２３号公報には、その３頁コラム左欄、段落番号００１２に、フィルタの面に、ヨウ素化殺菌剤を含浸又は添着した不織布を貼着し、全体として積層構造体としたフィルタの技術が示されている。又特開平６−２９３２１６号公報には、その２頁コラム右欄、段落番号００１０に、各種通気性を有する素材に、粉状抗菌材を含浸やコーティングで表裏一面に定着させるフィルタの技術が示されている。
【０００３】
【発明が解決しようとする課題】
上記従来技術の場合、濾紙の表面や組織中に消臭剤又は抗菌剤を添着又は含浸あるいはコーティングさせたものであるので、消臭、抗菌剤の付着面積は濾紙の表面積や薄い厚さの組織中の容積に限定され、即ち濾紙の表面積以上は大とはならず、通過空気に対して消臭、抗菌作用をより一層向上させることに限界がある。
【０００４】
更には濾紙に消臭剤や抗菌剤を含浸したり、コーティングしたりするのでフィルタ全体の低コスト化に一定の限界を与えていた。
加えて、濾紙に対して消臭剤や抗菌剤を含浸したり、コーティングしたりするので、各フィルタの設置状況に応じてゴミやホコリの収集状況や消臭、抗菌の作用の度合に応じて濾紙と消臭剤、抗菌剤の組み合わせを自由自在にしたい場合、その要求に直ちに応ずることができない。
【０００５】
【目的】
従って、本発明の目的とするところは、消臭、抗菌作用をよりよく発揮でき、而も製造が安価で、濾紙と消臭剤又は抗菌剤の組み合わせ自由度に富む使い捨てで焼却可能なフィルタを提供するにある。
【０００６】
【課題を解決する為の手段】
上記目的を達成する為に本発明は次の技術的手段を有する。即ち、実施例の形態で示した添付図面中の符号を付して説明すると、空気調和装置、空気清浄器、換気扇、脱臭装置、集塵装置等の空気通路中に、取付け、取外し可能に配設される複数の濾紙を多重に配したフィルタに於いて、
上記多重に配設された濾紙２，３を焼却可能な材質により構成するとともに、濾紙２と濾紙３間に、互いに区分された態様で複数の消臭，抗菌剤収容室７ａ，７ｂ，７ｃ，７ｄ，７ｅ，７ｆ…が形成されるように多重に配設し、上記複数の消臭，抗菌剤収容室７ａ，７ｂ，７ｃ，７ｄ，７ｅ，７ｆ…各々内に、各消臭，抗菌剤収容室内をほぼ満たすようにして焼却可能な粒状の消臭、抗菌剤８の多数を収容し、上記多重に配した濾紙２と３の周囲を互いに固着して成る使い捨てフィルタである。
【０００７】
又本発明は、上記多重に配された濾紙は、その内の一方が平坦な濾紙２であり、他方が山谷状に形成された濾紙３であって、これら濾紙２と３の間に略断面が台形状又は三角形状、あるいは半円形状の複数の消臭，抗菌剤収容室７ａ，７ｂ，７ｃ，７ｄ，７ｅ，７ｆ…が互いに区分されて形成されていることをも特徴とする。
【０００８】
更に、本発明は上記多重に配された濾紙は、平坦な濾紙２，１２の複数と、山谷状に形成された濾紙３，１３の複数より成り、それらを交互に配設し、上記平坦な濾紙と山谷状に形成された濾紙の間の多数の消臭，抗菌剤収容室７ａ，７ｂ，７ｃ，７ｄ，７ｅ，７ｆ…が上下多層にわたって形成されていることをも特徴とする。
【０００９】
加えて本発明は、上記消臭，抗菌剤収容室７ａ，７ｂ，７ｃ，７ｄ，７ｅ，７ｆ…内に収容されている消臭、抗菌剤８は球状の多孔性セルロースを核として、それに消臭剤又は抗菌剤が結合されているものであることを特徴とする。
【００１０】
【作用】
このようにして成るフィルタ１は、建物に設備されている空気調和装置等のフィルタ取付部９に取付けられる。このように取付けられると、冷房又は暖房あるいは送風等の駆動時、建物内の空気が空調装置に吸引されてフィルタ１を通るから、濾紙３又は２に於いてゴミ、ホコリ等が捕集されると共に、臭気成分は、消臭，抗菌剤収容室７ａ，７ｂ，７ｃ，７ｄ，７ｅ，７ｆ…内の消臭剤８によって脱臭され、又は空気中のカビ、細菌は抗菌剤８によって制菌される。
従って、空気調和機器を構成する建物内の配管、ダクト内にゴミ、ホコリが吸い込まれたり、又はカビが壁面に付着し成長することを抑制できる。従って循環して室内に戻る空気は清浄になる。
更には多孔性セルロース粒子の担体にマイナスイオン発生剤が複合されたものが収容室に収容されていればマイナスイオンが生じるし、工場等で、特定物質、例えばさく酸を含むガスが発生していれば、収容室内に、多孔性セルロース粒子の担体に特定物質分解剤が複合されたものが収容されていれば、上記のさく酸成分を分解するものである。
【００１１】
【発明の実施の形態】
次に添付図面に従い本発明の好ましい実施の形態を詳細に説明する。
図１〜図５は第一の実施の形態を示したもので、符号１はこの発明に係るフィルタ全体を示し、このフィルタ１は長方形状の又は四角形状のあるいは他の形状の上側に位置する平坦な濾紙２と、それに対して下側に位置する山谷状に形成された濾紙３より成る。これらの濾紙２，３は空気中のゴミやホコリ、細菌等をとるものなら何れをも用いることができるが、本発明に係るフィルタ１は使い捨て、及びその後に焼却処理できることを条件とするので、それに適う材質のものが選ばれる。
従ってそれらは紙製、繊維製又はそれらの混合の濾紙とされるが、例えば不織布のパルコンポ（東洋紡の商標名）や、上記パルコンポとトレミクロン（東レの商標名）を貼合わせしたもの等が考慮される。
【００１２】
上記濾紙２と３の組合わせについてより具体的に説明すると、濾紙２は平坦な形状を呈しているが、濾紙３は、平坦な端部３ａと、それに連なっている山部３ｂと、更にそれに続けて形成されている谷部３ｃより成り、それを交互に繰り返して全体として山谷状に形成されている。この例では山部３ｂが１４ヶ所形成されている例を示してある。従って平坦な濾紙２と山谷形状の濾紙３の間に３角形状の断面を呈する消臭，抗菌剤収容室７ａ，７ｂ，７ｃ，７ｄ，７ｅ，７ｆ…が各々区分されて１４室形成されている。
【００１３】
これを組み立てるには種々の手段が考えられるが、この実施例では、山谷状フレーム４と上下の周囲枠５，６を用いる例を示してある。
即ち上記の山谷状フレーム４は、フレーム端部４ａと、それに続くフレーム山部４ｂと、更にそれに続くフレーム谷部４ｃを有し、左右側部にフレーム側部４ｄが形成されている。従ってこの山谷状のフレーム４に山谷形状の濾紙３を支持させ、即ちフレーム４の端部４ａ上に濾紙３の端部３ａを支持させ、更にフレーム４の山部４ｂ上に濾紙３の山部３ｂを支持させ、且つフレーム４の谷部４ｃ上に濾紙３の谷部３ｃを支持させ、これらにより濾紙３全体をフレーム４全体によって支える。
この場合、フレーム４は、端部４ａ、山部４ｂ、谷部４ｃ並びに側部４ｄ部分のみがフレーム状になっているだけなので、フレームとフレーム間に濾紙３が露出することになる。即ち空気がフレームによって囲まれ、又は覆われていない濾紙３部分を通るようにされている。
【００１４】
この後、山谷状の濾紙３の一つ一つの山の部分、即ち消臭，抗菌剤収容室７ａ，７ｂ，７ｃ，７ｄ，７ｅ，７ｆ…内の個々に消臭，抗菌剤８の多数を収容し、平坦な濾紙２を重ね合わせる。そして上側の周囲枠５を平坦な濾紙２上に配置すると共に、下側の周囲枠６を下側の濾紙３の下方に配置する。この時、周囲枠５，６によって濾紙２の端部と、濾紙３の端部３ａが挟み込まれる。即ち周囲枠５、濾紙２の端部、濾紙３の端部３ａ、周囲枠６が重なり合う。その重なり合った部分を接着剤で互いに固定して全体を組み立て、使い捨て可能で且つ焼却処理できるフィルタ１とするものである。
上記の場合、濾紙３やフレーム４の山部の高さは、このフィルタ１を設置する取付部に過不足なく納まる高さに適宜定められる。
【００１５】
上記の場合、濾紙２と３のみならず、フレーム４及び上下の周囲枠５，６に関しても、このフィルタ１全体が使い捨て及びその後に焼却処理できることを条件とするので、軽量で焼却処理できる紙製、例えば段ボール用紙又はベニヤ板製より成るものが考慮される。
【００１６】
さて、このようにすると、従来のように単に平坦な濾紙と濾紙の間に消臭剤や抗菌剤を介在させて入れただけでは、製造途上、保管時、搬送時、空調機器への据付時、消臭剤や抗菌剤が偏在し、片寄ったりしてしまう。例えば地面に対して縦にしたり、又はフィルタ取付時に縦にセットしてから水平にセットしたりすると、フィルタを通る空気に対して、消臭剤、抗菌剤が均一に接触しないことになるので、浄化、消臭、殺菌等処理されるべき空気と消臭剤，抗菌剤の接触効率が落ち、消臭、抗菌効果が予定した通り得られない。ところがこの実施の形態に示されるように、フィルタ１の空気流入、流出領域は、複数の消臭、抗菌剤収容室７ａ，７ｂ，７ｃ，７ｄ，７ｅ，７ｆ…に小分けに区分されていて、その各消臭、抗菌剤収容室７ａ，７ｂ，７ｃ，７ｄ，７ｅ，７ｆ…内には各収容室内容積空間をほぼ満たすようにして粒状の消臭、抗菌剤８の多数が収容されているので、フィルタ１全体を傾けても、消臭、抗菌剤８がフィルタ１全体の中で何れか片側に偏在することがないのみならず、各消臭、抗菌剤収容室７ａ，７ｂ，７ｃ，７ｄ，７ｅ，７ｆ…内に於いても片側に偏ったり、逆に一部に大きな空隙が生じてしまうこともない。従ってフィルタ１を通る空気に対して、全体として消臭、抗菌剤８が均一に接っし、接触効率が良好に保たれ、空気の消臭、空気中の菌に対する抗菌作用が良好に行なわれる。
【００１７】
そして特に、従来のフィルタを構成する濾紙の表面や組織中に消臭、抗菌剤を添着又は含浸あるいはコーティングさせたものの場合には、消臭、抗菌剤の付着面積は、濾紙の表面積や薄い組織中の容積に限定され、それ以上大きくならないのに比し、この実施形態のフィルタ１の場合、消臭、抗菌剤収容室７ａ，７ｂ，７ｃ，７ｄ，７ｅ，７ｆ…の複数が山谷状に形成されていて各消臭、抗菌剤収容室は断面形状が略三角形状に形成されているから、各収容室７ａ，７ｂ，７ｃ，７ｄ，７ｅ，７ｆ…の容積は大きくなり、そのことはより多数の消臭、抗菌剤８が各収容室に収容されることとなる。このことはフィルタ１を通過する空気が通過過程でより消臭、抗菌剤８に接触することとなり、消臭、抗菌剤８による消臭、抗菌作用が増大する。
【００１８】
さて、消臭、抗菌剤収容室７ａ，７ｂ，７ｃ，７ｄ，７ｅ，７ｆ…内に収容する消臭、抗菌剤８は、多孔性セルロース粒子を担体としてそれに消臭剤、又は抗菌剤あるいは特定の例えばタバコの臭気、あるいは工場等で用いられるさく酸等有機物質又は無機物質の臭気を分解する機能物質を複合化したものが考慮される。上記多孔性セルロース粒子は公知のもので、多孔性の為に内部に水や空気は勿論のこと上記消臭、抗菌剤を保持できる。そして外径や、内部の孔径等も製造段階で調整できるものである。例えば粒径は５０〜１，５００μｍに調整できる。本発明の場合、濾紙２や濾紙３の孔隙から滑り又は抜け落ちないことが要所なので、濾紙２，３の孔隙より大の直径を有することが必須の条件である。例えばビスコパール（レンゴー株式会社の商標名）と称して、故紙を原料に複数の多孔化剤を組み合わせてポーラス化した球状再生セルロース粒子に、消臭剤を複合、結合化したものや、この球状再生セルロース粒子にワサビ成分を結合化した抗菌剤や、その他マイナスイオン放出物質を結合化したもの、中には活性炭成分を結合化したもの等が上げられる。
【００１９】
さて、消臭、抗菌剤収容室７ａ，７ｂ，７ｃ，７ｄ，７ｅ，７ｆ…各々内には、同種の消臭剤８を収容してもよく、交互に消臭剤８、抗菌剤８を収容してもよい。このように従来フィルタを構成する濾紙自体に消臭、抗菌剤をバインダーにて結合させてしまったものの場合には、使用途要求に応じてフィルタ濾紙全体を取替えねばならなかったが、この発明の場合、各収容室に入れる消臭、抗菌剤を交替するだけで済むものである。
【００２０】
このようにして成るフィルタ１は、建物に設備されている空気調和装置（空洞エアコンといわれるものも含む。）のフィルタ取付部分や、図示してはいないが空気清浄器、換気扇、脱臭装置、集塵装置のフィルタ取付部に取付けられる。このように取付けられると、例えば上記の建物に設備されている空気調和装置のフィルタ取付部９に取付けられると、冷房又は暖房あるいは送風等の駆動時、建物内の空気が空調装置に吸引されてフィルタ１を通るから、濾紙３又は２に於いてゴミ、ホコリ等が捕集されると共に、臭気成分は、臭気、抗菌剤収容室７ａ，７ｂ，７ｃ，７ｄ，７ｅ，７ｆ…内の消臭剤８によって脱臭され、又は空気中のカビ、細菌は抗菌剤８によって制菌される。
従って空気調和機器を構成する建物内の配管、ダクト内にゴミ、ホコリが吸い込まれたり、又はカビが壁面に付着し成長することを抑制できる。従って循環して室内に戻る空気は清浄になる。更には多孔性セルロース粒子の担体にマイナスイオン発生剤が複合されたものが収容室に収容されていればマイナスイオンが生じるし、工場等で、特定物質、例えばさく酸を含むガスが発生していれば、収容室内に、多孔性セルロース粒子の担体に特定物質分解剤が複合されたものが収容されていれば、上記のさく酸成分を分解するものである。
【００２１】
図６の例は、消臭、抗菌剤収容室７ａ，７ｂ，７ｃ，７ｄ，７ｅ，７ｆ…の形を略半円状としたものである。即ち下側の濾紙３の山部３ｂを半円状とすると共に、それを支えるフレーム４も半円状としたもので、収容室の形状が異なるのみで、作用、効果は図１〜図５の実施例と同じである。従って図１〜図５と同一の部所は同一の符号を付して示してある。
【００２２】
図７，図８に示す第三の実施例は、下側の濾紙３の更に下側に平坦な濾紙１２を配し、更にその下に山谷状の濾紙１３を配し、加えてその下に平坦な濾紙２２を配し、全体としてハニカム構造とし、上下段に消臭、抗菌剤収容室７ａ，７ｂ…を形成し、その個々に消臭、抗菌剤８を収容したものである。この実施例の場合、多段に収容室７ａ，７ｂ…を形成するので各段の高さを低くし、全体としての高さが、このフィルタ１を空調装置の取付部９に過不足なく納まるように設定してある。このように多段とすることで、各収容室を小さくした上でより数多く形成でき、従って種々の消臭剤、抗菌剤を区分して収容できる。その他は図１〜図５の実施例と同一の作用、効果を呈する。従って図１〜図５に示した実施例と同一の部所は同一の符号を付してある。
【００２３】
このように使用したフィルタ１は、使用条件によって異なるが例えば３ヶ月程度使用したならば、次の新しいフィルタ１に交替する。本発明の場合、使用済みのフィルタ１は使い捨てとし、且つ構成材料が全て焼却可能なので、焼却処理する。
【００２４】
次に図９に第四の実施の形態を示す。この実施形態の場合、消臭、抗菌剤収容室７ａ，７ｂ，７ｃ，７ｄ，７ｅ，７ｆ…の個々を台形状にしたもので、全体としてはフレーム４も山谷状であり、それによって支えられている下側の濾紙３も山谷状である。
この実施の形態のものも実施例１と同一の作用、効果を呈する。従って実施例１と同一の部所は同一の符号を付して説明を省略する。
【００２５】
【効果】
以上詳述した如く、本発明によると、濾紙と濾紙の間の消臭、抗菌剤が偏在せず通過空気に対して消臭、抗菌剤が各部均一に作用するので、空気調和装置及び空気調和装置のされている建物内の消臭、抗菌作用がよりよく実施されるのは勿論のこと、濾紙の表面積に対して、消臭、抗菌剤の容積を大きくすることができるから、通過空気に対してよりよく消臭、抗菌作用を与えることができる。
【００２６】
更に、濾紙と消臭剤、抗菌剤を別々のものにすることができるので、特に濾紙に対して消臭、抗菌剤を含浸とかコーティングしないからより安価なフィルタとすることができるし、濾紙と消臭、抗菌剤の組み合わせを、空気調和装置側の清浄要求に合わせて自由に選択できるから、清浄すべき要求や状況に合ったフィルタとすることができる。
【図面の簡単な説明】
【図１】本発明に係る消臭、抗菌フィルタの一実施例を示す斜視図。
【図２】図１に示したフィルタの裏面側に於ける斜視図。
【図３】図１の３−３線に沿う断面図。
【図４】図１の４−４線に沿う断面図。
【図５】図１に示した実施例のフィルタの部分断面を含む斜視図。
【図６】図５と同様の斜視図で、第２の実施例のフィルタを示す図。
【図７】第３の実施例のフィルタを示す分解斜視図。
【図８】図７に示したフィルタの部分断面図。
【図９】第４の実施例のフィルタを示す断面を含む斜視図。
【符号の説明】
１　　　　フィルタ
２　　　　上側の平坦な濾紙
３　　　　下側の山谷状に形成された濾紙
３ａ　　　濾紙の端部
３ｂ　　　濾紙の山部
３ｃ　　　濾紙の谷部
３ｄ　　　濾紙の側部
４　　　　山谷状フレーム
４ａ　　　フレームの端部
４ｂ　　　フレームの山部
４ｃ　　　フレームの谷部
４ｄ　　　フレームの側部
５　　　　上側周囲枠
６　　　　下側周囲枠
７ａ，７ｂ，７ｃ，７ｄ，７ｅ，７ｆ…　　消臭、抗菌剤収容室
８　　　　消臭、抗菌剤
９　　　　空調装置のフィルタ取付部
１２，２２　　平坦な濾紙
１３　　　　山谷状に形成された濾紙
【図１】
2004116850.tif 000003
【図２】
2004116850.tif 000004
【図３】
2004116850.tif 000005
【図４】
2004116850.tif 000006
【図５】
2004116850.tif 000007
【図６】
2004116850.tif 000008
【図７】
2004116850.tif 000009
【図８】
2004116850.tif 000010
【図９】
2004116850.tif 000011